(57)【要約】【課題】紙幣処理装置において、主制御部が判別用パラメータ及びユーザ個別パラメータを一元管理し、取り扱う国・券種種別コードを書き換えることで、変更を容易に行うことができる紙幣処理装置を提供する。【解決手段】紙幣処理装置は、紙幣を判別するための第１の判別パラメータ２５ｂを有する紙幣判別部２０と、インターフェース２２を介して接続され、前記紙幣を判別するための第２の判別パラメータ５５ａを有する主制御部５１とで構成される。そして、前記第１の判別パラメータ２５ｂは、前記主制御部５１が、適用する国や取扱券種情報を基に、前記第２の判別パラメータ５５ａを前記紙幣判別部２０に送信したデータから生成され、前記紙幣判別部２０は、前記第１の判別パラメータ２５ｂを用いて、紙幣の判別を行うようにしたことを特徴とする紙幣処理装置を提供する。【選択図】  図３
2004164458.tif 000002
【特許請求の範囲】
【請求項１】
券種の異なる複数の紙幣を取り込み供給する供給部と、
この供給部によって供給された前記紙幣を搬送する搬送路と、
前記搬送路上の前記紙幣を判別する第１の判別パラメータを有する紙幣判別部と、
この紙幣判別部の判別結果に基づき前記紙幣を券種別に区分して複数の収納庫の何れかに搬送する搬送制御部と、
前記紙幣を判別するための第２の判別パラメータを有する主制御部とで構成され、
前記紙幣判別部は、前記主制御部の前記第２の判別パラメータから生成した前記第１の判別パラメータによって前記紙幣を判別することを特徴とする紙幣処理装置。
【請求項２】
前記搬送制御部は、搬送制御ファームウェアと、
搬送制御パラメータとを有し、
前記紙幣判別部の判別結果に基づき、前記搬送制御ファームウェアが前記搬送制御パラメータを参照して前記紙幣の区分先を決定するようにしたことを特徴とする請求項１記載の紙幣処理装置。
【請求項３】
前記紙幣判別部は、前記主制御部と通信するためのコマンドプログラムと、
前記紙幣を判別するための判別プログラムとを有し、
前記判別プログラムは、前記コマンドプログラムによって、前記主制御部から受信した前記第２の判別パラメータに基づき、前記第１の判別パラメータを生成し、前記紙幣を判別するようにしたことを特徴とする請求項１記載の紙幣処理装置。
【請求項４】
前記主制御部の第２の判別パラメータは、
国毎の券種別パラメータで構成される紙幣判別パラメータと、
国及び券種に依存しないパラメータで構成されるユーザ個別パラメータとを有することを特徴とする請求項１記載の紙幣処理装置。
【発明の詳細な説明】
【０００１】
【発明の属する技術分野】
本発明は、例えば、適用する国や取扱券種の変更を容易に行うことのできる紙幣処理装置に関する。
【０００２】
【従来の技術】
例えば、紙幣処理装置は、ユーザや保守員により装置の操作、処理した紙幣の集計作業を行うＰＣ（パーソナルコンピュータ）などを基本とする主制御部と、紙幣の搬送機構と紙幣の搬送制御用ＣＰＵを持った紙幣搬送部と、紙幣を判別するための複数のセンサと、それらを制御するＣＰＵや制御回路を持った紙幣判別部などによって構成されている。特に、海外向けの紙幣処理装置においては、同一のハードウェアを用い、紙幣を判別するための判別パラメータの書き換えを行うことで、複数国向けに製品を出荷することが可能である。
【０００３】
従来の紙幣処理装置では、紙幣判別部及び主制御部に、工場出荷時に設置する国の取扱券種に合わせた判別用パラメータを設定し、書き込みを行って製品出荷を行っていた。また、出荷済みの紙幣処理装置やユーザ設置後の紙幣処理装置を他国向けや、異なる取扱券種に切り替える場合は、工場出荷時と同様に、紙幣制御部及び主制御部に設定した判別用パラメータの書き換え作業を行う必要があった。
【０００４】
特に、取り扱う紙幣自体の判別処理を行う紙幣判別部と計数・金額集計を行う主制御部は、設置対象国やその国の券種種別に応じて判別用パラメータを変更する必要がある。また、紙幣判別部と主制御部との間では券種判別結果の通知を行うため、各々の装置に対して確実に判別用パラメータの変更作業が必要であった。
【０００５】
また、このような設置対象国やその国の券種種別に応じて判別パラメータを変更する方法として、変更する紙幣を搬送し、紙幣判別部で得られたデータを外部装置に出力し、外部装置で演算して真偽判定に必要なデータを生成し、このデータを装置に入力し、前記紙幣判別部での紙幣識別レベルとして使用している（例えば、特許文献１参照。）。
【０００６】
【特許文献１】
特開平９−２４５２１８号公報（第３頁）
【０００７】
【発明が解決しようとする課題】
しかしながら、紙幣判別部の判別用パラメータは、装置内の記憶部に格納しており、紙幣処理装置の取扱券種や国変更を行う場合は、保守員が変更用の判別用パラメータファイルを記録したメディアを持参し、判別用パラメータを前記メディアを搭載した専用装置を用いて書き換える作業を行っていた。
【０００８】
また、主制御部や搬送制御部においても設定変更を要する場合があり、装置毎に独立した作業が多数発生する。このため、主制御部と紙幣判別部との間に取扱国の変更作業に誤りがあると、紙幣判別部が判別した券種情報と主制御部に定義された券種情報との間にインターフェース上で不一致が生じ、誤動作や誤計数などの重大な問題が発生する可能性があった。
【０００９】
また、上記特許文献１に示されているように、現地において、適用券種変更に伴う大量のデータ収集を専用の外部装置で行うものでは、収集結果に伴なう判別レベルを紙幣選別機にダウンロードする必要があった。
【００１０】
そこでこの発明は、上記問題点を解決するためになされたもので、紙幣判別部の判別用パラメータ、ユーザ個別パラメータを紙幣処理装置の主制御部が一元管理することにより、紙幣処理装置の取扱券種や国変更を容易に、且つミスのない方法で行うことのできる紙幣処理装置を提供することを目的とする。
【００１１】
【課題を解決するための手段】
上記目的を達成するために、請求項１記載の発明は、券種の異なる複数の紙幣を取り込み供給する供給部と、この供給部によって供給された前記紙幣を搬送する搬送路と、前記搬送路上の前記紙幣を判別する第１の判別パラメータを有する紙幣判別部と、この紙幣判別部の判別結果に基づき前記紙幣を券種別に区分して複数の収納庫の何れかに搬送する搬送制御部と、前記紙幣を判別するための第２の判別パラメータを有する主制御部とで構成され、前記紙幣判別部は、前記主制御部の前記第２の判別パラメータから生成した前記第１の判別パラメータによって前記紙幣を判別することを特徴としている。
【００１２】
【発明の実施の形態】
以下、本発明の実施の形態について図１乃至図４を参照して説明する。
【００１３】
図１は、本発明の実施の形態に係る、紙幣処理部１の表搬送経路を示す概略側断面図である。
【００１４】
この紙幣処理部１は、複数金種の、サイズの異なる複数枚の紙幣Ｂを混在させて一括して投入したものに対し、全ての紙幣の表裏を揃えてその金種別に分類して収納庫に集積するためのものである。
【００１５】
ここで、紙幣Ｂの搬送方向について説明する。紙幣Ｂは、表（Ｆ：表を上にした状態）、裏（Ｂ：裏を上にした状態）、正（Ｆ：紙幣の表もしくは裏の印刷が正立した状態）、逆（Ｒ：紙幣の表もしくは裏の印刷が倒立した状態）の４種類あり、これらを組み合わせた表正（ＦＦ）、表逆（ＦＲ）、裏正（ＢＦ）、裏逆（ＢＲ）からなる４種類の搬送方向が形成される。
【００１６】
従って、表搬送経路とは、紙幣Ｂの搬送方向が表であるＦＦ及びＦＲの紙幣Ｂが、図示矢印Ａ１、Ａ２、Ａ３、Ａ４、Ａ５、Ａ７の方向に搬送され集積される場合の搬送経路である。
【００１７】
紙幣処理部１は、紙幣Ｂを供給する供給部１０と、この供給部１０に供給された紙幣Ｂを１枚づつ取り出す取出ローラ１４と、この取出ローラ１４によって取り出された紙幣Ｂを搬送路１６に繰り出す搬送ローラ１５と、繰り出された紙幣Ｂを搬送する搬送路１６と、この搬送路１６の途中に配置され、搬送される紙幣Ｂの判別を行う紙幣判別装置１９と、この紙幣判別装置１９の判別結果に基づき紙幣Ｂを振り分ける複数の振分ゲートＧ１〜Ｇ８、及び複数の搬送路４１〜４３と、振り分けられた紙幣Ｂを集積する収納庫６０〜６５とで構成されている。
【００１８】
また、紙幣処理部１はインターフェース５０を介して主制御部５１に接続されている。
【００１９】
供給部１０は、４種類の搬送方向が混在する紙幣Ｂを当接して整位するステージ１１と、ステージ１１に対して鉛直方向に立設したバックアッププレート１２とで構成されている。また、このバックアッププレート１２は、バネ１３の付勢力によってステージ１１に沿って左側に移動可能になっている。このようにして供給された紙幣Ｂは、バックアッププレート１２により取出ローラ１４側に圧接される。
【００２０】
取出ローラ１４は、回転しながら、圧接された紙幣Ｂを１枚づつ取出し、搬送ローラ１５に繰り出す。繰り出された紙幣Ｂは、搬送路１６を搬送し、紙幣判別装置１９に供給される。
【００２１】
紙幣判別装置１９は、図３に示すように紙幣Ｂの判別を行う紙幣判別部２０と、搬送される紙幣Ｂの行き先を決定する搬送制御部３０とで構成される。
【００２２】
紙幣判別部２０は、紙幣Ｂの材質に係わる光学的特性や磁気的特性を検出するための複数のセンサ１〜ｎと、これらセンサ１〜ｎの出力信号を増幅する増幅回路１〜ｎと、この増幅回路１〜ｎの出力信号をＡ／Ｄ変換するためのＡ／Ｄ変換部２４と、このＡ／Ｄ変換部２４でＡ／Ｄ変換されたデータを論理演算する論理回路部２３とで構成した信号処理回路と、この信号処理回路の出力信号から真偽（本物か偽物か）、正損（正券か損券か）を判別する他、紙幣判別部２０の全体を制御するＣＰＵ２１と、このＣＰＵ２１によってアクセスされる記憶部２５と、及びＣＰＵ２１で判別された結果やデータを主制御部５１との間で通信するためのＩ／Ｆ部２２とで構成される。なお、詳細は後述する。
【００２３】
また、搬送制御部３０は、紙幣判別部２０の判別結果により、搬送される紙幣Ｂの行き先を決定して、紙幣の搬送制御を行うＣＰＵ３１と、このＣＰＵ３１によってアクセスされる記憶部３３と、紙幣判別部２０とのＩ／Ｆ部３２とで構成される。
【００２４】
図１の振分ゲートＧ１は、例えば、リジェクト券と、処理券とに振り分けるゲートである。
【００２５】
リジェクト券とは、紙幣判別部２０で判別された紙幣Ｂが偽券または折れ、破れ、スキューなどにより判別のできない「判別不能券」を指し、その判別信号を搬送制御部３０が受信すると、振分ゲートＧ１を右側（時計方向）に回動することにより、判別不能券をリジェクト集積部８０に集積する。
【００２６】
また、「処理券」とは、紙幣判別部２０で判別された紙幣Ｂが真券で正券（再流通可能券）、又は真券で損券（流通不能券）を指し、その判別信号を搬送制御部３０が受信すると、振分ゲートＧ１を左側（反時計方向）に回動する。
【００２７】
振分ゲートＧ２は、表裏振分ゲートである。紙幣判別部２０で判別された紙幣Ｂの搬送方向が裏正（ＢＦ）もしくは裏逆（ＢＲ）である場合、その判別信号を搬送制御部３０が受信すると、その紙幣Ｂが表裏反転機構４５を通るように振分ゲートＧ２を右側（時計方向）に回動する。
【００２８】
表裏反転機構４５とは、紙幣判別装置１９の紙幣判別部２０で判別された紙幣Ｂの搬送方向が裏正（ＢＦ）もしくは裏逆（ＢＲ）である場合に、表裏反転機構４５によってこれを反転し夫々表逆（ＦＲ）、表正（ＦＦ）にする。このようにして反転された紙幣Ｂは、搬送路４３を通り振分ゲートＧ４〜Ｇ８で振り分けられ、収納庫６０〜６５のいずれかに集積される。
【００２９】
次に、図２を用いて裏搬送経路の説明を行う。図２は、紙幣処理部１の裏搬送経路を示す概略側断面図である。
【００３０】
ここで、裏搬送経路とは、紙幣Ｂの搬送方向が裏である裏正（ＢＦ）及び裏逆（ＢＲ）の紙幣Ｂが、図示矢印Ａ１、Ａ２、Ａ３、Ａ６、Ａ７の方向に搬送される経路である。搬送された紙幣は紙幣判別部２０の判別結果に応じて収納庫６０〜６５のいずれかに集積される。
【００３１】
収納庫６０〜６５は、紙幣処理部１を操作するオペレータによって、券種に対応付けられる。すなわち、主制御部５１は券種に対応した収納庫の場所を図３の搬送制御部３０に指示して設定する。
【００３２】
図３は、紙幣判別装置１９の紙幣判別部２０と搬送制御部３０、及び主制御部５１の処理ブロック図である。
【００３３】
紙幣判別部２０のセンサ１〜ｎは、例えば、紙幣Ｂの形状を検知するための形状検知、紙幣Ｂの厚さを検知するための厚さ検知、紙幣Ｂの印刷パターンを検知するためのパターン検知、紙幣Ｂの磁性を検知するための磁気検知などを行うためのセンサ１〜ｎである。これらのセンサ１〜ｎの出力信号は、各々増幅回路１〜ｎで増幅される。
【００３４】
これらの増幅回路１〜ｎで増幅されたセンサ１〜ｎの出力信号は、記述していないマルチプレクサなどのセレクタで選択されてＡ／Ｄ変換部２４に接続される。Ａ／Ｄ変換部２４は、上記セレクタに接続されるセンサ１〜ｎの出力信号の数と紙幣判別部２０の処理能力により複数のＡ／Ｄ変換器が使用される。
【００３５】
このＡ／Ｄ変換されたデータは、論理演算する論理回路部２３に接続される。論理回路部２３は、上記Ａ／Ｄ変換されたセンサ１〜ｎの出力信号に所定の論理演算を行い、真偽及び正損判別可能なデータを生成する。
【００３６】
次に、記憶部２５について説明する。
【００３７】
この記憶部２５は、不揮発性記憶部２５ａと揮発性記憶部２５ｂとで構成される。不揮発性記憶部２５ａには、紙幣判別用の判別プログラム２６と、主制御部５１とのデータ通信を行うためのコマンドプログラム２７が格納されている。
【００３８】
また、揮発性記憶部２５ｂには、主制御部５１から通知された第２の判別パラメータである紙幣判別パラメータ５９を展開し生成した判別パラメータ２８や、ユーザ個別パラメータ６０から生成したユーザ個別パラメータ２９が格納されている。
【００３９】
次に、判別処理の説明を行う。以上の構成において、紙幣判別部２０の判別処理は、判別プログラム２６が上記判別パラメータ２８とユーザ個別パラメータ２９で構成される第１の判別パラメータを参照することによって、設置国に応じた紙幣判別が行われる。
【００４０】
ＣＰＵ２１は、論理回路部２３からの真偽及び正損判別可能なデータと、記憶部２５の第１の判別パラメータとを比較し、真偽（本物か偽物か）、正損（正券か損券か）を判別する。また、ＣＰＵ２１は、判別結果やデータをＩ／Ｆ部２２を介して主制御部５１との間で所定の通信手段により送受信する他、上記判別結果を搬送制御部３０に送信する。
【００４１】
搬送制御部３０のＣＰＵ３１は、記憶部３３の搬送制御ファームウェア３４に従って動作するもので、搬送制御パラメータ３５を参照して、上記判別された結果に基づき紙幣Ｂの区分先を決定する。
【００４２】
次に、主制御部５１の処理を説明する。主制御部５１は、ＣＰＵ５３と、記憶部５５と、紙幣判別部２０と通信するためのＩ／Ｆ部５４とで構成される。
【００４３】
記憶部５５は、紙幣処理部１を制御するためのアプリケーションプログラム５６と、紙幣判別部２０へ判別パラメータの伝送を行うためのコマンドプログラム５７と、保守員が点検や機能変更の際に用いる保守プログラム５８と、複数国分の券種種別や国毎の紙幣判別パラメータ５９及びユーザ個別パラメータ６０からなる第２の判別パラメータ５５ａとで構成される。
【００４４】
図４は、主制御部５１の紙幣判別パラメータ５９、及びユーザ個別パラメータ６０からなる第２の判別パラメータ５５ａの構造を示す図である。
【００４５】
図４（Ａ）は、紙幣判別パラメータ５９、及びユーザ個別パラメータ６０の構造を示す図である。図４（Ａ）に示す紙幣判別パラメータ５９は、複数国分の紙幣判別パラメータからなるデータベースである。
【００４６】
このデータベースは、国番号１〜ｎからなる国番号（国コード）や、券種番号１〜ｍからなる券種番号（券種コード）の検索インデックスで引用可能なデータベースであり、そのマトリックスで指定される番地には、国番号／券種番号毎のパラメータとして、検知１（形状検知）、検知２（厚さ検知）、検知３（パターン検知）などの紙幣判別パラメータが格納されている。この紙幣判別パラメータには、他に、券種判別パラメータ、真偽判別パラメータ、及び正損判別パラメータなどがある。
【００４７】
ここで、図４（Ｂ）を用いて紙幣判別パラメータ５９の詳細を説明する。図４（Ｂ）には、紙幣判別パラメータ５９の国番号１、券種番号１の検索インデックスで引用される国番号１・券種番号１のパラメータと、国番号１、券種番号２の検索インデックスで引用される国番号１・券種番号２のパラメータを一例として示してある。
【００４８】
国番号１・券種番号１のパラメータは、検知１〜ｋからなるｋ種類の検知手段のパラメータで構成される。例えば、検知１（形状検知）は、紙幣Ｂの形状を検知するためのパラメータで、その中のパラメータ１は紙幣Ｂの検知エリアを示すデータで、パラメータ２は紙幣の長さに関する閾値で、図示していないパラメータ３は紙幣Ｂの幅に関する閾値である。
【００４９】
また、検知２（厚さ検知）は、紙幣Ｂの厚さを検知するためのパラメータで、その中のパラメータ１は紙幣Ｂの検知エリアを示すパラメータで、パラメータ２は紙幣Ｂの１枚の厚さに関する閾値である。
【００５０】
同様に、国番号１・券種番号１のパラメータとしてｋ種類の検知手段がある場合は、ｋ種類の検知についてその中のパラメータ１〜ｊが設定される。
【００５１】
国番号１・券種番号２のパラメータについては、上記、国番号１・券種番号１のパラメータと同様の構成をしているため説明を省略する。
【００５２】
次に、券種判別パラメータ、真偽判別パラメータ、及び正損判別パラメータについて説明する。券種判別パラメータは、上記紙幣判別パラメータの中にあって券種判別を行うためのパラメータで、例えば検知１（形状検知）や検知３（パターン検知）などのパラメータをいう。また、真偽判別パラメータは、紙幣Ｂの真偽判別を行うためのパラメータで、例えば検知４（磁気検知）や図示していない蛍光検知などのパラメータをいう。さらに正損判別パラメータは、紙幣Ｂの正損判別を行うためのパラメータで、図示していない透過検知（紙幣Ｂを照明し、その透過光量を検知する）などのパラメータをいう。
【００５３】
次に、ユーザ個別パラメータ６０の説明を行う。ユーザ個別パラメータ６０は、国コードや券種コードに依存しないデータで、ユーザの好みに合わせた正損検知レベルや真偽判定レベルを示すデータがパラメータ１〜ｎとして記憶部５５ａに格納される。
【００５４】
例えば、ユーザ個別パラメータ６０のパラメータ１は現在の正損判別閾値をα１だけ移動し、損券（再流通しない券）と判別される紙幣Ｂの数量を減らすためのパラメータである。また、パラメータ２は現在の検知４（磁気検知）の判別閾値をα２だけ移動し、検知４（磁気検知）によるリジェクト数量を減らすためのパラメータである。以下同様にパラメータ３〜ｎが設定される。このように設定することにより、設置国や環境によるユーザの状況に対応した紙幣Ｂの判別が可能になる。
【００５５】
次に、図１乃至図４を参照しながら主制御部５１を用いて、紙幣処理部１の工場出荷時に設定された取扱国とは異なる国、または券種種別の設定変更について説明する。
【００５６】
例えば、図４の国番号１は日本で、券種番号１〜券種番号４がそれぞれ千円、２千円、５千円、万円に対応している。国番号２はＵＳＡで、券種番号１〜券種番号４がそれぞれ１ドル、５ドル、１０ドル、２０ドルに対応している。そして、紙幣判別パラメータ５９には、上記対応関係の国番号及び券種番号に相当するパラメータが設定され、登録されている。
【００５７】
一方、紙幣処理部１の収納庫はスペースに限りがあるため、収納庫に対応して取扱券種が設定される。例えば、収納庫６０〜６５に対応して、第１取扱券種（千円正券）、第２取扱券種（５千円正券）、第３取扱券種（万円正券）、第４取扱券種（千円損券）、第５取扱券種（５千円損券）、第６取扱券種（万円損券）に設定されている。この場合にあって、例えば、この中の第１取扱券種（千円正券）を１ドル正券に変更し、第４取扱券種（千円損券）を１ドル損券に変更する場合の保守員の対応を説明する。この場合の取扱券種は３種類で、この３種類の紙幣判別結果がそれぞれ正券、損券に区分されるため６種類の収納庫に集積される。
【００５８】
保守員は、図３に示す主制御部５１の保守プログラム５８を起動し、保守プログラム５８の一つである取扱国変更プログラムをアクセスする。そして、国番号１（日本）の券種番号１〜券種番号４、及び国番号２（ＵＳＡ）の券種番号１〜券種番号４からなる登録済みのデータベースから、第１取扱券種の取扱国として国番号２（ＵＳＡ）、及び券種番号１（１ドル）を指定する。なお、前述したように取扱券種の収納庫は既に設定されている。
【００５９】
主制御部５１は、入力された国番号２及び券種番号１がデータベースに存在することを確認し、第１取扱券種の国番号、券種番号の検索アドレスを主制御部５１の記述していない書き換え可能な記憶部５５ａに登録する。この登録により主制御部５１の取扱券種が指定される。このようにして第１取扱券種である図４（Ａ）の国１・券種１の情報格納番地が国２・券種１に変更される。
【００６０】
また、正券と損券の判別は、紙幣判別パラメータ５９の中の正損判別パラメータの閾値及びユーザ個別パラメータ６０のパラメータ１に従って行われ、その判別結果に基づき対応する収納庫に収納されるのは前述した通りである。従って、１ドルの判別結果が損券の場合は、事前に設定した第４取扱券種の収納庫６３に集積される。
【００６１】
国や取扱券種を変更する保守員作業はこれで完了する。
【００６２】
次に、取扱券種変更に伴なう主制御部５１のアプリケーションプログラム５６の動作を説明する。
【００６３】
アプリケーションプログラム５６が起動されると、ＣＰＵ５３は、紙幣判別パラメータ５９の更新済みの取扱国・券種コードで検索されたパラメータデータ、をＩ／Ｆ５４を介して、紙幣判別部２０へ送信する。
【００６４】
紙幣判別部２０のＣＰＵ２１は、この第２の判別パラメータを受信し、紙幣判別パラメータ５９から判別パラメータ２８を生成する。この処理によって、判別対象国、及び券種が変更される。
【００６５】
このようにして、主制御部５１の記憶部５５の紙幣判別パラメータ５９に登録されたデータベースの範囲で、同じ装置で数か国分の紙幣判別が可能になる。
【００６６】
次に、ユーザ個別パラメータ２９の変更方法を説明する。
【００６７】
保守員は、主制御部５１の保守プログラム５８の中の記述していない専用プログラムを起動し、ユーザ個別パラメータ６０を変更し、登録処理を行うことによりユーザ個別パラメータ６０の更新処理が行われる。このようにして更新された更新済みユーザ個別パラメータ６０は、紙幣判別パラメータ５９と同様にアプリケーションプログラム５６の起動時にＩ／Ｆ５４を介して紙幣判別装置１９の紙幣判別部２０へ送信される。紙幣判別部２０のＣＰＵ２１は、受信したデータを展開しユーザ固別パラメータ２９を生成する。
【００６８】
このようにして、主制御部５１の紙幣判別パラメータ５９とユーザ個別パラメータ６０から構成される第２の判別パラメータは、紙幣判別部２５の判別パラメータ２８及びユーザ個別パラメータ２９に展開され、紙幣判別のための第１の判別パラメータになる。
【００６９】
このようにして、本実施例では図１の収納庫６０〜６２をそれぞれ１ドル正券、５千円正券、及び万円正券として使用し、さらに収納庫６３〜６５をそれぞれ１ドル損券、５千円損券、及び万円損券として使用することができる。
【００７０】
以上の操作によって、複数の国の券種を混在して設定することが可能であるだけでなく、その何れかの収納庫を他の国の任意の券種に変更することが可能となる。もちろん設定もしくは変更しようとする国、及び券種の紙幣判別パラメータ５９が存在することが条件となることは当然である。
【００７１】
また、ユーザ固別パラメータ６０も主制御部５１が管理することで、紙幣判別装置１９が故障などで交換した場合でもユーザ要望に沿った判別レベルを安定して提供することが可能である。
【００７２】
以上説明したように、上記実施の形態によれば、
紙幣処理装置において、取扱券種や対応国を切り替える場合、紙幣判別装置の紙幣判別パラメータ及びユーザ個別パラメータを紙幣処理装置の主制御部が一元管理することで、次に述べる効果がある。
【００７３】
（１）主制御部から紙幣判別装置の取り扱う国・券種種別コードを書き換えることで既設定状態の変更を容易に行うことができる。
【００７４】
（２）主制御部は、複数分のパラメータを所有可能であるため、装置を他国へ移設、取扱券種を変更する際に、保守員は紙幣判別装置を機種変更するためのパラメータファイルや変更するための装置を持ち歩く必要がなくなった。
【００７５】
（３）紙幣判別装置を変更する際も、ユーザ要望により設定済みのパラメータを気にせずに作業が行える。
【００７６】
【発明の効果】
以上述べたように、本発明によれば、紙幣判別装置の紙幣判別パラメータ及びユーザ個別パラメータを主制御部が一元管理することにより、紙幣判別装置の対象国や券種種別を変更する際、主制御部から取り扱う国・券種種別コードを書き換えることで既設定状態の変更を容易に行うことができる。
【図面の簡単な説明】
【図１】本発明の実施の形態に係る紙幣処理装置の表搬送経路を示す概略側断面図。
【図２】本発明の実施の形態に係る紙幣処理装置の裏搬送経路を示す概略側断面図。
【図３】本発明の実施の形態に係る紙幣処理装置の紙幣判別装置及び主制御部の処理ブロック図。
【図４】主制御部の紙幣判別パラメータ及びユーザ個別パラメータならなる第２の判別パラメータの構造を示す図。
【符号の説明】
Ｂ  紙幣
Ｇ１〜Ｇ８  振分ゲート
１  紙幣処理部
１０  供給部
１１  ステージ
１２  バックアッププレート
１３  バネ
１４  取出ローラ
１５  搬送ローラ
１６  搬送路
１９  紙幣判別装置
２０  紙幣判別部
２５  記憶部
２５ａ  不揮発性記憶部
２５ｂ  第１の判別パラメータ
３０  搬送制御部
３１、３２、３３  搬送ベルト
３４  リジェクト集積部
４５  表裏反転機構
５０  インターフェース
５１  主制御部
５２  表示部
５５  記憶部
５５ａ  第２の判別パラメータ
６０〜６５  収納庫
【図１】
2004164458.tif 000003
【図２】
2004164458.tif 000004
【図３】
2004164458.tif 000005
【図４】
2004164458.tif 000006